(57)【特許請求の範囲】
【請求項１】
管路のヒューム管及びこれと接続するマンホールに、それぞれ、外周に突条リングを設けた短尺、薄肉の継管を結合し、それら両継管の先端部どうしを挿嵌して接続するとともに、該接続部の外側に、柔軟弾性体よりなる被覆筒を嵌着し、該被覆筒の外側に、外周を軸方向の円錐状テーパ面とした、複数に分割してなる筒状分割リングを被着し、その外側に、内周を円錐状テーパ面に形成した締着リングを嵌合して緊締したことを特徴とする、マンホールと管路との結合装置。
【請求項２】
筒状分割リングの円錐状テーパ面を、その軸方向の中央部から両端へ互いに傾斜方向を反対とした２つのテーパ面に形成したことを特徴とする、請求項１記載のマンホールと管路との結合装置。
【発明の詳細な説明】
【０００１】
【産業上の利用分野】
本発明は、マンホールとヒューム管等による管路との連結にあたって、地震や地盤沈下等に好適に対処できるように、可撓、伸縮自在に連結するための結合装置に関するものである。
【０００２】
【従来の技術】
従来、下水道等地下に埋設の管路は、マンホールを介して接続がなされている。すなわち、図９に示すように、マンホールＡは一般に輪切り状としたコンクリート製のブロック１，１を地中に積み重ねて結合して形成され、その底部にあるブロック１に設けた接続孔２に、管路を形成するヒューム管３の端部を挿入して、モルタル等のコーキング材４を孔２とヒューム管３との隙間に充填して接続している。
【０００３】
【発明が解決しようとする課題】
ところで、地中に埋設されるマンホールや管路では、地震や地盤沈下によってあらゆる方向の外力を受けることになり、マンホールと管路とは相対的に屈曲、伸縮や捩り作用が働くことになる。そのような場合、従来、マンホールと管路とは、上記のように剛結合となっているため、作用する外力が少し大きくなると、マンホールや管体自体或はそれらの接続部分が損傷を受けたり破壊するおそれがある。
【０００４】
本発明は、上記のような従来の問題点にかんがみなされたもので、マンホールと管路との接続が、屈曲、伸縮、捩れ等の荷重を吸収できるとともに、水密性もよく連結も強固にできるようにした、マンホールと管路との結合装置を提供しようとするものである。
【０００５】
【課題を解決するための手段】
上記の目的を達成するための本発明の構成について、実施例に対応する図面を参照して説明すると、請求項１のマンホールと管路との結合装置は、管路のヒューム管３及びこれと接続するマンホールＡに、それぞれ、外周に突条リング７，８を設けた短尺管５ａ，５ｂを結合し、それら両ステンレス管５ａ，５ｂの先端部どうしを挿嵌して接続するとともに、該接続部の外側に、柔軟弾性体よりなる被覆筒１１を嵌着し、該被覆筒１１の外側に、外周を軸方向の円錐状テーパ面１７とした、複数に分割してなる筒状分割リング１５，１５を被着し、その外側に、内周を円錐状テーパ面１９に形成した締着リング１８を嵌合して緊締したことを特徴とするものである。
【０００６】
また、請求項２のマンホールと管路との結合装置は、請求項１の装置において、筒状分割リング１５，１５の円錐状テーパ面を、その軸方向の中央部から両端へ互いに傾斜方向を反対とした２つのテーパ面１７ａ，１７ｂに形成したことを特徴とするものである。
【０００７】
【作用】
本発明の装置では、ヒューム管３を結合した継管５ａと、マンホールＡのブロック１に結合した継管５ｂとを入れ子式に重合して接続され、その外側に被覆筒１１と筒状分割リング１５，１５及び締着リングを嵌合して結合される。
【０００８】
この場合、被覆筒１１は柔軟な弾性体であるため、筒状分割リング１５，１５と締着リングによる締め付けで継管５ａ，５ｂの外面に密接して水密性が保たれるとともに、突条リング７，８との係合により、両ステンレス管５ａ，５ｂはその軸線方向に対する移動がある程度許容される状態で結合される。また、継管５ａ，５ｂの相互間に捩れや屈曲作用が生じても、被覆筒１１の弾性及び継管５ａ，５ｂ自体の弾性によって、それら外力を吸収することができ、損壊の防止が図れる。
【０００９】
【実施例】
以下、本発明の実施例について図面を参照して説明する。図１〜図５は本発明の一実施例を示し、図６〜図８は同他の実施例を示したものである。
【００１０】
図１〜図５において、５ａ，５ｂは連結される一対の短尺、薄肉の継管で、ステンレス等の金属やプラスチック或は硬質ゴムで形成されており、一方の継管５ａは管路のヒューム管３の内径とほぼ同様の内径を有し、その基端部にはヒューム管３の先端部を嵌入する拡径の受口６が形成されており、長さ方向の中間部外周には、所要の高さと幅を有する突条リング７が突設されている。また、他方の継管５ｂは一方の継管５ａの外側に遊嵌できる内径を有する短尺の継管で、一方の継管５ａと接続する先端部の外周には、所要の高さと幅を有する突条リング８が突設されている。
【００１１】
一方の継管５ａはその受口６をヒューム管３先端部に外嵌し、水膨張性のシール材９を介して水密に結合されている。また、他方の継管５ｂはその基端部がマンホールＡのブロック１の接続孔２に挿入され、モルタル等のコーキング材４を介して結合されている。そして、両継管５ａ，５ｂは互いに先端部どうしを所要の長さにわたり重ね合せて挿嵌され、その重ね合せ部分の両管５ａ，５ｂ間にはシール材１０が介装されている。
【００１２】
１１は、両継管５ａ，５ｂの嵌合部分の外側に嵌着される被覆筒で、ゴム、プラスチック等の柔軟な弾性及びシール性を有する材料で形成されており、その内面には、両継管５ａ，５ｂの突条リング７，８と係合される２条の環状溝１２，１２が周設されている。そして、被覆筒１１の両端外周には、面取りした斜断面１３，１３が形成されている。
【００１３】
また、１５は、被覆筒１１の外側に被着される２個一対よりなる筒状分割リングで、被覆筒１１より長く形成され、その両端部内側には、上記斜断面１３，１３に外接する内向き斜断面１６，１６が形成されている。そして、筒状分割リング１５，１５の外面はその軸線方向に沿う円錐状テーパ面１７に形成されている。筒状分割リング１５，１５の外側には筒状の締着リング１８が嵌合、圧接される。この締着リング１７はその内面が上記テーパ面１７に適合する円錐状テーパ面１９に形成されている。
【００１４】
両継管５ａ，５ｂの結合にあたっては、あらかじめどちらか一方の継管５ａ（５ｂ）に被覆筒１１及び締着リング１８を嵌合しておく。そして、両継管５ａ，５ｂの先端部を互いに所要の深さに重ね合わせた後、その部分の外側に被覆筒１１をずらして被せ、被覆筒１１の環状溝１２，１２を継管５ａ，５ｂの突条リング７，８に係合させる。次に、一対の筒状分割リング１５，１５を被覆筒１１の外側に被着し、さらにその外側に締着リング１８を嵌合して、その軸線方向に打撃等により移動させれば、それらのテーパ面１７，１９の作用で、筒状分割リング１５，１５はその内面と内向き斜断面１６，１６で被覆筒１１を包み込むようにして圧着し、両継管５ａ，５ｂは弾性のある被覆筒１１を介し弾性的に結合されることになる。
【００１５】
次に、本発明の他の実施例について図６〜図８を参照して説明する。この実施例では、継管５ａ，５ｂ及び被覆筒１１についてはさきの実施例におけると同様であるから、それらの説明は省略する。この実施例では、筒状分割リング１５，１５の外面が、その軸線方向の中央部より各端部にかけて径小となるように、傾斜方向を互いに反対としたテーパ面１７ａ，１７ｂに形成されている。したがって、締着リングはそれら両テーパ面１７ａ，１７ｂに適合するように一対の締着リング１８ａ，１８ｂよりなり、それぞれテーパ面１７ａ，１７ｂに対応するテーパ面１９ａ，１９ｂが内面に形成されている。
【００１６】
なお、上記各実施例においては、継管５ａ，５ｂの突条リング７，８は各１個づつとなっているが、それら突条リング７，８は複数間隔をおいて設けることもできる。また、被覆筒１１は、環状溝１２，１２を設けず単なる筒体に形成してもよく、そうした場合でも、被覆筒１１は柔軟な弾性を有するので、両継管５ａ，５ｂの接続部の外周及び凹凸によくなじんで密着できる。
【００１７】
【発明の効果】
以上説明したように、本発明は、マンホールと管路のヒューム管とを、一対の薄肉の継管の重ね合せの結合により接続し、それら継管どうしを柔軟な弾性体の被覆筒の外嵌と筒状分割リングと締着リングによる締付けにより弾性的に結合するようにしたので、地震や地盤沈下等によって、マンホールとヒューム管の相互間に、屈曲や捩れ或はヒューム管の軸方向に対するずれ等の外力が作用した場合に、それら外力による変形、移動にある程度追随して外力を吸収し、マンホールやヒューム管自体及びその結合部の損壊が防がれるようになる。
【００１８】
また、両継管の結合部分や継管自体が損壊した場合でも、それらを取替えて結合し直すことで復元することが容易にでき、しかも、構造は簡単で水密性に優れコストも安価である。
【図面の簡単な説明】
【図１】本発明の一実施例を示す半部切載縦断面図である。
【図２】同連結する継管の要部を示す半部切載縦断面図である。
【図３】同被覆筒の半部切載縦断面図である。
【図４】同筒状分割リングの一部切欠縦断面図である。
【図５】同締着リングの半部切載縦断面図である。
【図６】本発明の他の実施例を示す半部切載縦断面図である。
【図７】同筒状分割リングの一部切欠縦断面図である。
【図８】同締着リングの半部切載縦断面図である。
【図９】従来のマンホールとヒューム管との結合構造を示す縦断面図である。
【符号の説明】
Ａ  マンホール
１  ブロック
２  孔
３  ヒューム管
４  コーキング材
５ａ，５ｂ  継管
６  受口
７，８  突条リング
９，１０  シール材
１１  被覆筒
１２  環状溝
１３  斜断面
１５  筒状分割リング
１６  内向き斜断面
１７  テーパ面
１８，１８ａ，１８ｂ  締着リング
１９，１９ａ，１９ｂ  テーパ面
【その他】「明細書（図面）の実体的内容については変更なし。」
【図１】
0003612363.tif 000002
【図２】
0003612363.tif 000003
【図３】
0003612363.tif 000004
【図４】
0003612363.tif 000005
【図５】
0003612363.tif 000006
【図６】
0003612363.tif 000007
【図７】
0003612363.tif 000008
【図８】
0003612363.tif 000009
【図９】
0003612363.tif 000010